【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
先行するアイドルモードスロットサイクルの開始と送信の受信との間の時間差に対応するオフセットを決定するための手段と、
各後続のスロットサイクルの開始の後の前記オフセットに対応する時間において１つまたは複数の後続のアイドルモードスロットサイクル中で受信機回路を電源投入するための手段と
によって特徴付けられる、アクセス端末。
【請求項２】
前記先行するアイドルモードスロットサイクルの前記開始と前記第１のパケットの受信との間の時間差に対応するオフセットを決定するための前記手段が、
前記先行するスロットサイクルの前記開始において前記受信機回路を電源投入するための手段と、
前記送信を受信するための手段と、
前記先行するスロットサイクルの前記開始と前記送信の受信との間のスロットの数を測定するための手段と
を備える、請求項１に記載のアクセス端末。
【請求項３】
ハンドオフが後続のスロットサイクル中で行われるかどうかを予測するための手段と、
ハンドオフが前記後続のスロットサイクル中で行われると予測されるとき、前記後続のスロットサイクルの開始において前記受信機回路を電源投入するための手段と
をさらに備える、請求項１に記載のアクセス端末。
【請求項４】
ハンドオフが後続のスロットサイクル中で行われるかどうかを予測するための前記手段が、
前記アクセス端末のためのアクティブセット中の少なくとも１つのセルのパイロットエネルギーを決定するための手段と、
前記決定されたパイロットエネルギーが所定のしきい値よりも小さいとき、ハンドオフが行われると予測するための手段と
を備える、請求項３に記載のアクセス端末。
【請求項５】
前記所定のしきい値が−４ｄＢから−９ｄＢの間の範囲から選択される、請求項４に記載のアクセス端末。
【請求項６】
ハンドオフが後続のスロットサイクル中で行われるかどうかを予測するための前記手段が、
前記アクセス端末のためのアクティブセット中の少なくとも１つのセルのパイロットエネルギーを決定するための手段と、
前記アクセス端末のための候補セット中の少なくとも１つのセルのパイロットエネルギーを決定するための手段と、
前記候補セット中の前記少なくとも１つのセルの前記決定されたパイロットエネルギーが、前記アクティブセット中の前記少なくとも１つのセルの前記決定されたパイロットエネルギーよりも大きいとき、ハンドオフが行われると予測するための手段と
を備える、請求項３に記載のアクセス端末。
【請求項７】
先行するアイドルモードスロットサイクルの開始と送信の受信との間の時間差に対応するオフセットを決定することと、
各後続のスロットサイクルの開始の後の前記オフセットに対応する時間において１つまたは複数の後続のアイドルモードスロットサイクル中で受信機回路を電源投入することと
によって特徴付けられる、アクセス端末上で動作可能な方法。
【請求項８】
前記先行するアイドルモードスロットサイクルの前記開始と前記第１のパケットの受信との間の時間差に対応するオフセットを決定することが、
前記先行するスロットサイクルの前記開始において前記受信機回路を電源投入することと、
前記送信を受信することと、
前記先行するスロットサイクルの前記開始と前記送信の受信との間のスロットの数を測定することと
を備える、請求項７に記載の方法。
【請求項９】
ハンドオフが後続のスロットサイクル中で行われるかどうかを予測することと、
ハンドオフが前記後続のスロットサイクル中で行われると予測されるとき、前記後続のスロットサイクルの開始において前記受信機回路を電源投入することと
をさらに備える、請求項７に記載の方法。
【請求項１０】
ハンドオフが後続のスロットサイクル中で行われるかどうかを予測することは、
前記アクセス端末のためのアクティブセット中の少なくとも１つのセルのパイロットエネルギーを決定することと、
前記決定されたパイロットエネルギーが所定のしきい値よりも小さいとき、ハンドオフが行われると予測することと
を備える、請求項９に記載の方法。
【請求項１１】
前記決定されたパイロットエネルギーが所定のしきい値よりも小さいとき、ハンドオフが行われると予測することは、
前記決定されたパイロットエネルギーが、−４ｄＢから−９ｄＢの間の値の範囲から選択された前記所定のしきい値よりも小さいとき、ハンドオフが行われると予測すること
を備える、請求項１０に記載の方法。
【請求項１２】
ハンドオフが後続のスロットサイクル中で行われるかどうかを予測することは、
前記アクセス端末のためのアクティブセット中の少なくとも１つのセルのパイロットエネルギーを決定することと、
前記アクセス端末のための候補セット中の少なくとも１つのセルのパイロットエネルギーを決定することと、
前記候補セット中の前記少なくとも１つのセルの前記決定されたパイロットエネルギーが、前記アクティブセット中の前記少なくとも１つのセルの前記決定されたパイロットエネルギーよりも大きいとき、ハンドオフが行われると予測することと
を備える、請求項９に記載の方法。
【請求項１３】
各後続のスロットサイクルの開始の後の前記決定されたオフセットに対応する時間において１つまたは複数の後続のアイドルモードスロットサイクル中で前記受信機回路を電源投入することが、
各後続のスロットサイクルの開始の後の前記決定されたオフセットに対応する時間において複数の後続のアイドルモードスロットサイクル中で前記受信機回路を電源投入すること
を備える、請求項７に記載の方法。
【請求項１４】
受信機回路を含む通信インターフェースを備え、
ここにおいて、前記処理回路が、前記先行するアイドルモードスロットサイクルの開始と前記送信の受信との間の時間差に対応するオフセットを決定するための手段と、各後続のスロットサイクルの開始の後の前記オフセットに対応する時間において１つまたは複数の後続のアイドルモードスロットサイクル中で前記受信機回路を電源投入するための手段とを備える、
請求項１に記載のアクセス端末。
【請求項１５】
処理回路に、請求項７−１３の方法ステップの各々を行わせるためのプログラミングを備える、プロセッサ可読記憶媒体。
【手続補正２】
【補正対象書類名】明細書
【補正対象項目名】００４９
【補正方法】変更
【補正の内容】
【００４９】
[0053]本明細書で説明し、添付の図面に示した例に関連する様々な特徴は、本開示の範囲から逸脱することなく、異なる例および実装形態において実装され得る。したがって、ある特定の構造および構成について説明し、添付の図面に示したが、説明した実施形態への様々な他の追加および変更、ならびにそれらの実施形態からの削除は当業者には明らかであるので、そのような実施形態は例示的にすぎず、本開示の範囲を限定するものではない。したがって、本開示の範囲は、以下の特許請求の範囲の文字通りの文言、および法的均等物によってのみ決定される。
以下に本願の出願当初の特許請求の範囲に記載された発明を付記する。
［Ｃ１］
受信機回路を含む通信インターフェースと、
前記通信インターフェースと記憶媒体とに結合された処理回路と
を備える、アクセス端末であって、前記処理回路が、
第１のスロットサイクルの開始と第１のパケットの受信との間の時間差に対応するオフセットを決定することと、
前記第１のスロットサイクルの後に、第２のスロットサイクルの開始の後の前記オフセットに対応する時間において前記第２のスロットサイクル中で前記受信機回路を電源投入することと
を行うように適応された、アクセス端末。
［Ｃ２］
前記第１のスロットサイクルの前記開始と前記第１のパケットの受信との間の前記時間差に対応する前記オフセットを決定するように適応された前記処理回路が、
前記第１のスロットサイクルの前記開始において前記受信機回路を電源投入することと、
前記通信インターフェースを介して前記第１のパケットを受信することと、
前記第１のスロットサイクルの前記開始と前記第１のパケットの受信との間のスロットの数を測定することと
を行うように適応された前記処理回路を備える、Ｃ１に記載のアクセス端末。
［Ｃ３］
前記処理回路は、
ハンドオフが、前記第２のスロットサイクルの後に第３のスロットサイクル中で行われるかどうかを予測することと、
ハンドオフが前記第３のスロットサイクル中で行われると予測されるとき、前記第３のスロットサイクルの開始において前記受信機回路を電源投入することと
を行うようにさらに適応された、Ｃ１に記載のアクセス端末。
［Ｃ４］
ハンドオフが行われるかどうかを予測するように適応された前記処理回路は、
前記アクセス端末のためのアクティブセット中の少なくとも１つのセルのパイロットエネルギーを決定することと、
前記決定されたパイロットエネルギーが所定のしきい値よりも小さいとき、ハンドオフが行われると予測することと
を行うように適応された前記処理回路を備える、Ｃ３に記載のアクセス端末。
［Ｃ５］
前記所定のしきい値が−４ｄＢから−９ｄＢの間の範囲から選択される、Ｃ４に記載のアクセス端末。
［Ｃ６］
ハンドオフが行われるかどうかを予測するように適応された前記処理回路は、
前記アクセス端末のためのアクティブセット中の少なくとも１つのセルのパイロットエネルギーを決定することと、
前記アクセス端末のための候補セット中の少なくとも１つのセルのパイロットエネルギーを決定することと、
前記候補セット中の前記少なくとも１つのセルの前記決定されたパイロットエネルギーが、前記アクティブセット中の前記少なくとも１つのセルの前記決定されたパイロットエネルギーよりも大きいとき、ハンドオフが行われると予測することと
を行うように適応された前記処理回路を備える、Ｃ３に記載のアクセス端末。
［Ｃ７］
先行するアイドルモードスロットサイクルの開始と送信の受信との間の時間差に対応するオフセットを決定することと、
各後続のスロットサイクルの開始の後の前記オフセットに対応する時間において１つまたは複数の後続のアイドルモードスロットサイクル中で受信機回路を電源投入することとを備える、アクセス端末上で動作可能な方法。
［Ｃ８］
前記先行するアイドルモードスロットサイクルの前記開始と前記第１のパケットの受信との間の時間差に対応するオフセットを決定することが、
前記先行するスロットサイクルの前記開始において前記受信機回路を電源投入することと、
前記送信を受信することと、
前記先行するスロットサイクルの前記開始と前記送信の受信との間のスロットの数を測定することと
を備える、Ｃ７に記載の方法。
［Ｃ９］
ハンドオフが後続のスロットサイクル中で行われるかどうかを予測することと、
ハンドオフが前記後続のスロットサイクル中で行われると予測されるとき、前記後続のスロットサイクルの開始において前記受信機回路を電源投入することと
をさらに備える、Ｃ７に記載の方法。
［Ｃ１０］
ハンドオフが後続のスロットサイクル中で行われるかどうかを予測することは、
前記アクセス端末のためのアクティブセット中の少なくとも１つのセルのパイロットエネルギーを決定することと、
前記決定されたパイロットエネルギーが所定のしきい値よりも小さいとき、ハンドオフが行われると予測することと
を備える、Ｃ９に記載の方法。
［Ｃ１１］
前記決定されたパイロットエネルギーが所定のしきい値よりも小さいとき、ハンドオフが行われると予測することは、
前記決定されたパイロットエネルギーが、−４ｄＢから−９ｄＢの間の値の範囲から選択された前記所定のしきい値よりも小さいとき、ハンドオフが行われると予測することを備える、Ｃ１０に記載の方法。
［Ｃ１２］
ハンドオフが後続のスロットサイクル中で行われるかどうかを予測することは、
前記アクセス端末のためのアクティブセット中の少なくとも１つのセルのパイロットエネルギーを決定することと、
前記アクセス端末のための候補セット中の少なくとも１つのセルのパイロットエネルギーを決定することと、
前記候補セット中の前記少なくとも１つのセルの前記決定されたパイロットエネルギーが、前記アクティブセット中の前記少なくとも１つのセルの前記決定されたパイロットエネルギーよりも大きいとき、ハンドオフが行われると予測することと
を備える、Ｃ９に記載の方法。
［Ｃ１３］
各後続のスロットサイクルの開始の後の前記決定されたオフセットに対応する時間において１つまたは複数の後続のアイドルモードスロットサイクル中で前記受信機回路を電源投入することが、
各後続のスロットサイクルの開始の後の前記決定されたオフセットに対応する時間において複数の後続のアイドルモードスロットサイクル中で前記受信機回路を電源投入すること
を備える、Ｃ７に記載の方法。
［Ｃ１４］
先行するアイドルモードスロットサイクルの開始と送信の受信との間の時間差に対応するオフセットを決定するための手段と、
各後続のスロットサイクルの開始の後の前記オフセットに対応する時間において１つまたは複数の後続のアイドルモードスロットサイクル中で受信機回路を電源投入するための手段と
を備える、アクセス端末。
［Ｃ１５］
前記先行するアイドルモードスロットサイクルの前記開始と前記第１のパケットの受信との間の時間差に対応するオフセットを決定することが、
前記先行するスロットサイクルの前記開始において前記受信機回路を電源投入することと、
前記送信を受信することと、
前記先行するスロットサイクルの前記開始と前記送信の受信との間のスロットの数を測定することと
を備える、Ｃ１４に記載のアクセス端末。
［Ｃ１６］
ハンドオフが後続のスロットサイクル中で行われるかどうかを予測するための手段と、
ハンドオフが前記後続のスロットサイクル中で行われると予測されるとき、前記後続のスロットサイクルの開始において前記受信機回路を電源投入するための手段とをさらに備える、Ｃ１４に記載のアクセス端末。
［Ｃ１７］
ハンドオフが後続のスロットサイクル中で行われるかどうかを予測することは、
前記アクセス端末のためのアクティブセット中の少なくとも１つのセルのパイロットエネルギーを決定することと、
前記決定されたパイロットエネルギーが所定のしきい値よりも小さいとき、ハンドオフが行われると予測することと
を備える、Ｃ１６に記載のアクセス端末。
［Ｃ１８］
ハンドオフが後続のスロットサイクル中で行われるかどうかを予測することは、
前記アクセス端末のためのアクティブセット中の少なくとも１つのセルのパイロットエネルギーを決定することと、
前記アクセス端末のための候補セット中の少なくとも１つのセルのパイロットエネルギーを決定することと、
前記候補セット中の前記少なくとも１つのセルの前記決定されたパイロットエネルギーが、前記アクティブセット中の前記少なくとも１つのセルの前記決定されたパイロットエネルギーよりも大きいとき、ハンドオフが行われると予測することと
を備える、Ｃ１６に記載のアクセス端末。
［Ｃ１９］
処理回路に、
先行するアイドルモードスロットサイクルの開始と送信の受信との間の時間差に対応するオフセットを決定することと、
各後続のスロットサイクルの開始の後の前記オフセットに対応する時間において１つまたは複数の後続のアイドルモードスロットサイクル中で受信機回路を電源投入することとを行わせるためのプログラミングを備える、プロセッサ可読記憶媒体。
［Ｃ２０］
処理回路に前記オフセットを決定することを行わせるためのプログラミングが、処理回路に、
前記先行するアイドルモードスロットサイクルの前記開始において前記受信機回路を電源投入することと、
前記送信を受信することと、
前記先行するアイドルモードスロットサイクルの前記開始と前記送信の受信との間のスロットの数を測定することと
を行わせるためのプログラミングを備える、Ｃ１９に記載のプロセッサ可読記憶媒体。
［Ｃ２１］
処理回路に、
ハンドオフが後続のスロットサイクル中で行われるかどうかを予測することと、
ハンドオフが前記後続のスロットサイクル中で行われると予測されるとき、前記後続のスロットサイクルの開始において前記受信機回路を電源投入することと
を行わせるためのプログラミングをさらに備える、Ｃ１９に記載のプロセッサ可読記憶媒体。
［Ｃ２２］
処理回路に、ハンドオフが後続のスロットサイクル中で行われるかどうかを予測することを行わせるためのプログラミングは、処理回路に、
前記アクセス端末のためのアクティブセット中の少なくとも１つのセルのパイロットエネルギーを決定することと、
前記決定されたパイロットエネルギーが所定のしきい値よりも小さいとき、ハンドオフが行われると予測することと
を行わせるためのプログラミングを備える、Ｃ２１に記載のプロセッサ可読記憶媒体。
［Ｃ２３］
処理回路に、ハンドオフが後続のスロットサイクル中で行われるかどうかを予測することを行わせるためのプログラミングは、処理回路に、
前記アクセス端末のためのアクティブセット中の少なくとも１つのセルのパイロットエネルギーを決定することと、
前記アクセス端末のための候補セット中の少なくとも１つのセルのパイロットエネルギーを決定することと、
前記候補セット中の前記少なくとも１つのセルの前記決定されたパイロットエネルギーが、前記アクティブセット中の前記少なくとも１つのセルの前記決定されたパイロットエネルギーよりも大きいとき、ハンドオフが行われると予測することと
を行わせるためのプログラミングを備える、Ｃ２１に記載のプロセッサ可読記憶媒体。